(57)【特許請求の範囲】
【請求項１】
複数の挿通孔１４，１５が形成されたベース部材１０にキャップ状のカバー部材６０の開口端を嵌合してクロージャケース２を構成し、該クロージャケース２内に複数のケーブルの接続端部をそれぞれ前記挿通孔１４，１５から導入して接続するケーブル接続用クロージャにおいて、
前記ベース部材１０の挿通孔１４，１５にゴム様弾性材からなるブッシュ２３，２４を嵌入して該ブッシュ２３，２４に前記ケーブルを液密的に貫通させ、前記ベース部材１０の外面に前記挿通孔１４，１５の周りで被係止部１６ａ，１７ａが形成された係止片１６，１７を弾性屈曲可能に立設するとともに、該係止片１６，１７の被係止部１６ａ，１７ａに係止可能な係止部２５，２６が形成されたキャップ２１，２２に前記ケーブルを挿通し、前記キャップ２１，２２を前記ブッシュ２３，２４に弾接させて前記係止部２５，２６を前記係止片１６，１７の被係止部１６ａ，１７ａに係止させると共に、
前記ベース部材１０の内面に前記カバー部材６０の開口端が嵌合可能な筒状嵌合部３２を形成し、該筒状嵌合部３２の径方向外側に被係止部３３ａが形成された複数の係止片３３を周方向に間隔を隔て弾性屈曲可能に立設すると共に、該係止片３３の被係止部３３ａに係止可能な複数の係止爪６２と位置決め突条６３とを前記カバー部材１０に形成し、前記筒状嵌合部３２の外周に前記カバー部材６０と弾接するシール部材３８を設け、
さらに、前記ベース部材１０の内面にコラム部３１を突設して、該コラム部３１に掛止孔３１ａおよび該掛止孔３１ａに連通して前記テンションメンバが差込可能なスリット３１ｂを設け、さらに、径方向に貫通する止着孔３４ｃが形成された掛止ピン３４を前記掛止孔３１ａに回動自在に嵌装し、該掛止ピン３４の端部にレバー３４ｄを径方向に延設したことを特徴とするケーブル接続用クロージャ。
【請求項２】
前記ベース部材１０の係止片１６，１７の被係止部１６ａ，１７ａが係止穴であり、前記キャップ部材２１，２２の係止部が前記係止穴に係止可能な係止爪２５，２６で、前記係止片３３の被係止部３３ａが係止穴であり、該係止穴に係止する前記カバー部材６０の係止部が差込方向縁部および周方向縁部に傾斜面６２ａ，６２ｂを有する係止爪６２である請求項１記載のケーブル接続用クロージャ。
【請求項３】
前記ベース部材１０の内面に連結片３９を突設し、該連結片３９に切欠付き連結孔３９ａを形成するとともに、余長巻取部５５およびコネクタ収容部５３を有する心線収容体５０にコラム部材４０を介して連結ピン４１ａを設け、該連結ピン４１ａを前記連結孔３９ａに着脱させて前記心線収容体５０を前記ベース部材１０に取り付けた請求項１または請求項２記載のケーブル接続用クロージャ。
【発明の詳細な説明】
【０００１】
【発明の属する技術分野】
この発明は、フィンガーホール等に配置される地下用のケーブル接続用クロージャ、特に、内部の液密性を損なうことなく光ケーブル等の心線接続部へのアクセスが工具を用いることなく安全で容易に行えるケーブル接続用クロージャに関する。
【０００２】
【従来の技術】
光ケーブル等のケーブルの接続に際しては、クロージャを用いて心線外被の接続を行う。このようなクロージャ、特に、地下ケーブル接続用のクロージャは内部への浸水を確実に防止できる高度な密閉性が求められる反面、また、心線接続部に容易にアクセスできることが望まれる。このため、従来のクロージャにあっては、シール部材を介してビス等により接合される２つのケースハーフからケースを構成するケース構造、あるいは、ケースに心線接続部に臨む開口を形成し、この開口にシール部材を介して蓋をビス止めするケース構造を採用し、密閉性と接続作業性の両立を図っていた。
【０００３】
【発明が解決しようとする課題】
しかしながら、上述した従来のクロージャにあっては、ケーブルの接続等に際して心線接続部にアクセスするにはネジ回し等の工具を用いてビスの取外しや取付を行わなければならず、その作業が煩雑であるという問題があった。特に、フィンガーホール内に配設されるクロージャにあっては、フィンガーホール内の空間が狭く作業時に工具がホール壁面と干渉しやすいため、上述した問題も顕著であった。
この発明は、上記問題に鑑みてなされたもので、心線接続部へのアクセスがネジ回し等の工具を用いることなく安全に行え、かつ、取扱の簡便化と作業性の向上とを図り、高い密閉性が得られるクロージャを提供することを目的とする。
【０００４】
【課題を解決するための手段】
上記目的を達成するため、この発明は、複数の挿通孔が形成されたベース部材にキャップ状のカバー部材の開口端を嵌合してクロージャケースを構成し、該クロージャケース内に複数のケーブルの接続端部をそれぞれ前記挿通孔から導入して接続するケーブル接続用クロージャにおいて、
前記ベース部材の挿通孔にゴム様弾性材からなるブッシュを嵌入して該ブッシュに前記ケーブルを液密的に貫通させ、前記ベース部材の外面に前記挿通孔の周りで被係止部が形成された係止片を弾性屈曲可能に起設するとともに、該係止片の被係止部に係止可能な係止部が形成されたキャップに前記ケーブルを挿通し、前記キャップを前記ブッシュに弾接させて前記係止部を前記係止片の被係止部に係止させると共に、
前記ベース部材の内面に前記カバー部材の開口端が嵌合可能な筒状嵌合部を形成し、該筒状嵌合部の径方向外側に被係止部が形成された複数の係止片を周方向に間隔を隔て弾性屈曲可能に立設すると共に、該係止片の被係止部に係止可能な複数の係止爪と位置決め突条とを前記カバー部材に形成し、前記筒状嵌合部の外周に前記カバー部材と弾接するシール部材を設け、
さらに、前記ベース部材の内面にコラム部を突設して、該コラム部に掛止孔および該掛止孔に連通して前記テンションメンバが差込可能なスリットを設け、さらに、径方向に貫通する止着孔が形成された掛止ピンを前記掛止孔に回動自在に嵌装し、該掛止ピンの端部にレバーを径方向に延設した。
【０００５】
この発明は、地下ケーブル接続用のクロージャに適し、特に、配置空間が狭いフィンガーホール内へ配設されるクロージャに適する。このクロージャは、カバー部材の延出部の取付孔にボルトや支持ピン等を挿通させ、フィンガーホール内等に取り付けられる。
前記ベース部材およびカバー部材は、樹脂の射出成形等によって成形され、係止片や係止部が一体成形される。係止片は、弾性変形可能に形成され、被係止部として穴等が一体形成される。係止部は、爪状の突起等からなり、この突起からなる場合は係止または外し方向の全部に傾斜部分が形成される。そして、カバー部材は、工具なしで係止部をベース部材の係止片の被係止部にワンタッチで係止させ、係止片の弾性で係止状態が保持される。
【０００６】
前記ブッシュおよびシール部材はエラストマやゴム等から、また、キャップは樹脂の射出成形等により形成される。ブッシュは、キャップの弾接により弾性変形を生じて挿通孔内面およびケーブルと弾着し、液密性を確保する。シール部材はベース部材の筒状嵌合部とカバー部材の開口端内周面との間に介在し、これらの間の液密性を保持する。キャップは、その係止部をベース部材の被係止部に係止させてベース部材に取り付けられる。
【０００７】
【作用】
この発明にかかるケーブル接続用クロージャは、挿通孔にケーブルが挿通したブッシュを嵌入して該ブッシュをキャップにより保持し、このキャップが係止部をベース部材の被係止部に係止させて取り付けられ、また、カバー部材がその係止部をベース部材の被係止部に係止させて取り付けられ、カバー部材とベース部材の筒状嵌合部との間にはシール部材が介装され、さらにベース部材に突設したコラム部材にテンションメンバが簡単に止着できる。このため、ケーブルの導入やテンションメンバの止着などのケーブルの心線接続部へのアクセスが工具を用いることなく容易に行える。
【０００８】
【実施の形態】
以下、この発明の実施の形態を図面を参照して説明する。
図１から図２４はこの発明の一の実施の形態にかかるケーブル接続用クロージャを示し、図１および図２が全体を、図３から図８がベース部材を、図９から図１２がカバー部材を、図１３から図１６がコラム部材を、図１７が心線収容部材を示し、図１８から図２５が部品図である。
【０００９】
図１および図２において、１はクロージャを示し、このクロージャ１は図示しないフィンガーホール内に収容され、分岐光ケーブルＩＰの複数（本実施の形態では８）の引き込み光ケーブルＯＰへの分岐接続に用いられる。図中明示しないが、分岐光ケーブルＩＰは８本の引き込み光ケーブルＯＰに対応した８本の支線光ケーブルＢＣを外被により被覆してなり、これら支線光ケーブルＢＣおよび引き込み光ケーブルＯＰがそれぞれ心線（光ファイバ）と２本のテンションメンバを被覆して構成される。
【００１０】
クロージャ１は、平面視円形のベース部材１０の一側面にカバー部材６０を取り付けてクロージャケース２が構成され、このクロージャケース２内にコラム部材４０と心線収容部材５０とを組み付けてなる心線収容体９０がベース部材１０に取り付けられて収容される。これらベース部材１０、カバー部材６０、コラム部材４０および心線収容部材５０は樹脂の射出成形や軽金属のダイキャスト等により成形される。
【００１１】
図３から図６に示すように、ベース部材１０には、外面（下面、図６の図示面）の中央に大径ボス部１１が、内面に筒部１２が大径ボス部１１と同芯状に形成され、また、外面周辺部に８つの小径ボス部１３が２つを１組として周方向に９０°離間して形成される。大径ボス部１１および筒部１２には大径ボス部１１内にテーパ部１４ａを有する大径導入孔１４が形成されて内外面を貫通し、大径ボス部１４の外周部に大キャップ２１（図７参照）が嵌着する。また同様に、小径ボス部１３には、ボス部１３内にテーパ部１５ａを有し内外を貫通する小径導入孔１５が形成され、外周部に小キャップ２２（図８参照）が嵌着する。
【００１２】
図７に詳示するように、大径導入孔１４には外面側からブッシュ２３が嵌入され、このブッシュ２３が大キャップ２１により保持されてテーパ部１４ａに弾着する。ブッシュ２３は、図１８ａ，ｂに示すように、エラストマやゲル、あるいはゴム等から円錐台形状に成形され、前述した断面略ヒョウタン状の８つの挿通孔２３ａが周方向に等間隔に離間して形成される。このブッシュ２３は、各挿通孔２３ａに前述した支線光ケーブルが挿通し、変形した状態で大径導入孔１４内に圧入されて大キャップ２１により保持される（図７参照）。
【００１３】
同様に、小径導入孔１５は、図８に詳示するように、ボス部１３内側部分にブッシュ２４が嵌入され、このブッシュ２４が小キャップ２２により保持されてテーパ部１５ａに弾着する。ブッシュ２４は、図１９ａ，ｂに示すように、ゲル等から略円錐台形状に成形され、引き込み光ケーブルが挿通される断面略ヒョウタン状の挿通孔２４ａを有する。このブッシュ２４も、変形した状態で小径導入孔１５内に圧入され、小キャップ２２により保持される（図８参照）。
【００１４】
また、前記ベース部材１０の外面には、矩形状の係止穴１６ａを有する４つの係止片１６が大径ボス部１１の周りに９０°離間して弾性的な屈曲可能に一体形成され、各小径ボス部１２の周りにそれぞれ２つの係止片１７が１８０°離間して弾性的な屈曲可能に一体に起設される。係止片１６には矩形状の係止穴１６ａが、同様に、係止片１７には係止穴１７ａが形成される。後述するように、係止片１６の係止穴１６ａには大キャップ２１の係止爪が掛止し、掛止片１７の係止穴１７ａには小キャップ２２の係止爪が掛止する。
【００１５】
前記大キャップ２１は、略円筒形状を有し、樹脂の射出成形等により成形される。この大キャップ２１は、図２０ａ，ｂ，ｃに詳示するように、一端全面が大径ボス部１１と嵌合可能に開口し、他端に肩部２１ａによりケーブル導入穴２１ｂが区画され、外周部に４つの係止爪２５が周方向等間隔に形成される。この係止爪２５は、正面視略矩形状をなし、開口端側（装着方向側端）にテーパ部を有する。この大キャップ２１は、全面開口をボス部１１と嵌合させるとともに係止爪２５を係止片１６の係止穴１６ａに掛止させて取り付けられ、ケーブル導入穴２１ｂに分岐光ケーブルが挿通し、また、その肩部２１ａによりブッシュ２３をテーパ部１４ａに向けて押圧保持する。
【００１６】
この場合、前記小キャップ２２は、図２１ａ，ｂに詳示するように、樹脂の射出成形等により略円筒形状に成形され、一端全面が小径ボス部１２と嵌合可能に開口し、他端に肩部２２ａによりケーブル導入穴２２ｂが画成される。そして、この小キャップ２２の外周部には１８０°離間して矩形状の２つの係止爪２６が突設され、これら係止爪２６が開口端側にテーパ部を有する。この小キャップ２２も、ケーブル導入穴２２ｂに引き込み光ケーブルＯＰが挿通され、小径ボス１２に嵌合して係止爪２６が係止片１７の係止穴１７ａに掛止し、肩部２２ａがブッシュ２４をテーパ部１５ａに向けて押圧する。
【００１７】
さらに、ベース部材１０の内面には、筒部１２の周りに各組の小径導入孔１５との間でそれぞれコラム部３１が突設され、また、各小径導入孔１５の外周側に嵌合筒部３２が、周縁部に周方向に等間隔に離間して８つの係止片３３が立設される。図２２に詳示するように、各コラム部３１にはそれぞれ上下に離間して２つの掛止孔３１ａが平行に形成され、これら掛止孔３１ａにそれぞれ掛止ピン３４が回動自在に嵌合し、また、径方向内側と外側にそれぞれ４つのスリット３１ｂが形成される。これら４つのスリット３１ｂは、２つが上方の掛止孔３１ａにその軸方向に離間して開口し、また同様に、２つが下方の掛止孔３１ａに開口する。
【００１８】
なお、３９は対向する２つのコラム部３１の上部に突設された連結片である。これら連結片３９には切欠を有する連結孔３９ａが形成され、この連結孔３９ａにコラム部材４０の後述する取付ピン４１ａが嵌合してコラム部材４０が取り付けられる。
【００１９】
前記掛止ピン３４は、図２３ａ，ｂに示すように、３つの大径部３４ａ間に２つの小径部３４ｂを有し、これら小径部３４ｂにそれぞ長穴の止着孔３４ｃが断面十字状に形成され、また、一方の端部の大径部３４ａにレバー３４ｄを有する。この掛止ピン３４は、引き込み光ケーブルＯＰのテンションメンバがコラム部３１のスリット３１ｂを貫通して挿入され、レバー３４ｄの操作で回動してテンションメンバを掛止孔３１ａ内周部との間に挟着する。
【００２０】
また、嵌合筒部３２は、外周面に条溝３２ａが形成され、この条溝３２ａにシールリング３８が設けられる。この嵌合筒部３２にはカバー部材６０の開口端が嵌合し、このカバー部材６０と嵌合筒部３２外周面との間にシールリング３８が介装される。シールリング３８は、図２４に示すように、ゴムやエラストマ、あるいはゲル等から断面円形状に成形され、内周および外周にそれぞれ突条３８ａを有する。図２５ａ，ｂに詳示するように、係止片３３は、略矩形状をなし、ベース部材１０に弾性屈曲可能に一体成形される。この係止片３３には略矩形状の係止穴３３ａが形成され、この係止穴３３ａにカバー部材６０の後述する係止爪が係止する。
【００２１】
カバー部材６０は、図１，２および図９から図１２に示すように、一端（上端）が略半球状に閉止し、かつ、下端が開口した有底円筒状をなし、樹脂の射出成形等により成形される。このカバー部材６０の外周面には、閉止端側に８つのリブ６１が、開口端側に８つの係止爪６２と２つの位置決め用突条６３が、中間部に複数の滑り止め用の突条６４が一体に形成される。リブ６１にはそれぞれ挿通孔６１ａが形成され、これら挿通孔６１ａに取付用のボルトや支持ピンが挿通する。係止爪６２は、周方向に一定間隔で形成され、開口端側および周方向一側にそれぞれ傾斜部６２ａ，６２ｂが形成される（図２参照）。この係止爪６２は、カバー部材６０が嵌合筒部３２と嵌合した状態で係止片３３の係止穴３３ａに嵌合係止する。位置決め用突条６３は係止片３３と対応して周方向所定位置に形成され、滑り止め用の突条６４は所定の高さで周方向一定間隔で形成される。
【００２２】
コラム部材４０は、図１３から図１６に詳示するように、正面視略門型形状をなし、ベース部材１０側（下側）に一対の連結部４１が、上側に取付部４２が、側部に巻取部４３が形成される。連結部４１にはそれぞれ前述した連結片３９の連結孔３９ａに嵌着可能な一対の取付ピン４１ａが突設され、コラム部材４０は取付ピン４１ａが連結孔３９ａに嵌合されてベース部材１０に取り付けられる。取付部４２は、傾斜面に２つの取付穴４２ａと２つの嵌合穴４２ｂを一直線上に形成して構成され、嵌合穴４２ｂに心線収容部材５０の位置決めピン５７が挿通され、取付穴４２ａに心線収容部材５０の取付用のビス等が挿通する。巻取部４３は、上下左右に離間して突設された複数の巻取部４３ａを有し、これら巻取部４３ａに未接続光ケーブルの端部が巻取保持される。
【００２３】
前記心線収容部材５０は、図１７ａ，ｂ，ｃに詳示するように、略円形の底板５１の周縁に鍔部５２が一体に起設された略円盤状をなす。底板５１には、底面に２つの位置決めピン５７が離間して突設され、また、これら位置決めピン５７間に２つの取付孔５８が位置決めピン５７と一直線上に位置して貫通形成される。この心線収容部材５０は、位置決めピン５７が上述したコラム部材４０の嵌合穴４２ｂに挿入して位置決めされ、取付孔５８を貫通してコラム部材４０の取付穴４２ａに螺着するビス等によってコラム部材４０に予め組み付けられる。
【００２４】
また、心線収容部材５０の底板５１には、略９０°離間した４か所に配索穴５９が貫通形成され、さらに、上部の鍔部５２内の一側にコネクタ収容部５３が、上部の他側に巻回筒５４が一体形成され、この巻回筒５４と鍔部５２との間に余長巻取部５５が画成される。各配索穴５９には光ケーブルが挿通されて余長巻取部５５内に導入される。コネクタ収容部５３は、底板５１に平行に起設された複数のリブ５３ａを有し、これらのリブ５３ａにより仕切られた空間５３ｂ内に８つのコネクタ（図示せず）を収容保持する。
なお、図中、５２ａは鍔部５２に周方向に離間した４か所に形成されたスリットであり、このスリット５２ａを経ても必要に応じケーブルが余長巻取部５５内へ導かれる。
【００２５】
この実施の形態にあっては、分岐光ケーブルＩＰと引き込み光ケーブルＯＰを接続する場合、先ず、分岐光ケーブルＩＰをキャップ２１とブッシュ２３に挿通してベース部材１０の大径導入孔１４に貫通させ、また同様に、引き込み光ケーブルＯＰをキャップ２２とブッシュ２４に挿通してベース部材１０の小径導入孔１５に挿通し、これらケーブルＩＰ，ＯＰの接続側端部をベース部材１０の内面側に引き出す。そして、ブッシュ２３を大径挿通孔１４内に嵌入してキャップ２１を係止片１６に係止止着するとともに、ブッシュ２４を小径導入孔１５内に嵌入してキャップ２２を係止片１７に係止止着し、また、各ケーブルＩＰ，ＯＰのテンションメンバをコラム部３１に止着する。
【００２６】
ここで、各キャップ２１，２２は、係止片１６，１７を弾性的に屈曲させて係止爪２５，２６が係止片１６，１７の係止穴１６ａ，１７ａに嵌合係止し、その肩部２１ａ，２２ａがブッシュ２３，２４に弾着して押圧する。このため、キャップ１６，１７の取付は工具を用いることなく行え、また、ブッシュ２３，２３が弾性変形を生じてケーブルＩＰ，ＯＰおよび導入孔１４，１５の内壁面に弾接し、高い封止性が得られる。
【００２７】
そして、各ケーブルＩＰ，ＯＰのテンションメンバのコラム部３１への止着は、テンションメンバの端部をコラム部３１のスリット３１ｂに挿通して掛止孔３１ａ内の掛止ピン３４の掛止長穴３４ｃに挿入させた後に掛止ピン３４を回動させ、テンションメンバの端部を掛止ピン３４外周面と掛止孔３１ａ内周面との間に挟着することで行うが、掛止ピン３４の端部にはレバー３４ｄが一体形成され、このレバー３４ｄの手動操作により掛止ピン３４を回動することができる。このため、テンションメンバの止着も工具を用いることなく行える。
【００２８】
次に、予め組み付けられたコラム部材４０と心線収容体５０、すなわち、心線収容体９０をベース部材１０に取り付ける。ここで、心線収容体９０のベース部材１０への取付は、ベース部材１０の連結片３９の切欠付き連結孔３９ａにその切欠からコラム部材４０の連結ピン４１ａを嵌着させることで行える。このため、心線収容体９０の取付も工具を用いることなく簡単に、いわゆるワンタッチで行える。
【００２９】
次いで、各ケーブルＩＰ，ＯＰの光ファイバを心線収容体５０の配索穴５９から底板５１上に導いてコネクタにより接続し、コネクタをコネクタ収容部５３の空間５３ｂ内に収容し、また、余長部分を余長巻取部５５に巻回保持する。なお、この時、配索穴５９を通し忘れた光ファイバは鍔部５２のスリット５２ａから余長巻取部５５に導いて上記と同様に接続する。
【００３０】
この後、カバー部材６０をベース部材１０に取り付けて心線収容体９０を被蓋する。すなわち、カバー部材６０の開口端をベース部材１０の嵌合筒部３２と嵌合させる。ここで、カバー部材６０は、開口端外周の係止爪６２が係止片３３を弾性的に屈曲させて係止片３３の係止穴３３ａに嵌合係止し、この係止爪６２の係止穴３３ａへの係止でベース部材１０に取り付けられる。このため、カバー部材６０の取付も工具を用いることなく簡単にワンタッチで行える。特に、カバー部材６０には位置決め用の突条６３が形成されているため、係止爪６２と係止片３３の係止穴３３ａとの位置合わせも容易である。
【００３１】
そして、ベース部材１０にカバー部材６０が取り付けられた状態では、ベース部材１０の嵌合筒部３２外周面とカバー部材６０の開口端内周面との間に全周にわたってシール部材３８が介在して弾着するため、内部への水の浸入等を確実に防止できる。
【００３２】
また、ケーブルの再接続等は、前述した手順と逆に、カバー部材６０をベース部材１０から取外し、さらに、必要に応じて心線収容体９０を取り外して行うが、これらカバー部材６０等の取外しも工具を用いることなく行える。したがって、ケーブルの再接続も容易に行える。
【００３３】
上述したように、この実施の形態にかかるクロージャにあっては、ケーブルの接続等に際してのケース２内部へのアクセスが工具を用いることなく行え、また、テンションメンバの止着も工具を用いることなく行える。このため、ケーブルの接続作業を容易かつ短時間で行え、ケーブルの設置費用の低減等が図れる。
【００３４】
なお、上述した実施の形態ではフィンガーホールに設置する光ケーブル用のクロージャを例示するが、この発明のクロージャの設置はフィンガーホールに限定されるものではなく、また、光ケーブルに限らず通常のケーブルにも適用できることは述べるまでもない。
【００３５】
また、上述した実施の形態にあっては、ベース部材１０の係止片１６，１７に係止穴１６ａ，１７ａを形成してキャップ２１，２２に係止穴１６ａ，１７ａに係止する係止爪２５，２６を形成するが、これらの係止関係を逆、すなわち、係止片１６，１７に爪を形成し、この爪が係止する穴をキャップ２１，２２に形成することも可能である。
【００３６】
さらに、上述した実施の形態では、ベース部材１０を下側にしてフィンガーホール内に設置しているが、このクロージャは高い水密性が得られるため、天地逆、すなわち、ベース部材１０を上側にして設置することも可能である。
またさらに、上述した実施の形態では、テンションメンバの止着も工具を用いることなく行えるように構成するが、ベース部材１０に金属製の止着用部材を取り付け、この止着部材にねじ等を用いテンションメンバを止着し、高い止着強度を得ることも可能である。そして、このような止着部材を用いた場合は、この止着部材を利用してコラム部材４０を取り付けることが望ましい。
【００３７】
【発明の効果】
以上説明したように、この発明にかかるケーブル接続用クロージャによれば、ケーブルの挿通部分並びにベース部材へのカバー部材の着脱やケーブルのテンションメンバの止着も工具を用いることなく行え、かつ、高い密閉性が維持できるため、ケーブルの接続作業が容易に行え心線接続部へのアクセスが著しく簡便にできその作業性を大幅に向上し、また、クロージャ内部への水の浸入等も確実に防止できる。
【００３８】
特に、請求項２記載の発明にかかるケーブル接続用クロージャは、ベース部材へのカバー部材の脱着も工具等を用いることなく安全に行えるため、取扱が楽で光ケーブルの接続も容易に行える。
また、請求項３記載の発明にかかるケーブル接続用クロージャは、余長巻取部とコネクタ収容部を有する心線収容体のベース部材への取付が工具を用いることなく行えるため、ケーブルの接続をより容易に行える。
【図面の簡単な説明】
【図１】  この発明の一の実施の形態に係るケーブル接続用クロージャの全体斜視図である。
【図２】  同ケーブル接続用クロージャの分解斜視図である。
【図３】  同ケーブル接続用クロージャのベース部材の正面図である。
【図４】  同ベース部材の平面図である。
【図５】  図４のＡ−Ａ矢視断面図である。
【図６】  同ベース部材の底面図である。
【図７】  同ケーブル接続用クロージャの要部の拡大断面図である。
【図８】  同ケーブル接続用クロージャの他の要部の拡大断面図である。
【図９】  同ケーブル接続用クロージャのカバー部材の縦断面図である。
【図１０】  同カバー部材の底面図である。
【図１１】  同カバー部材の平面図である。
【図１２】  図９のＢ−Ｂ矢視断面図である。
【図１３】  同ケーブル接続用クロージャのコラム部材の平面図である。
【図１４】  図１３のＣ−Ｃ矢視断面図である。
【図１５】  同コラム部材の平面図である。
【図１６】  同コラム部材の側面図である。
【図１７】  同ケーブル接続用クロージャの心線収容部材を示し、ａが平面図、ｂが正面図、ｃが底面図である。
【図１８】  同ケーブル接続用クロージャの大径ブッシュを示し、ａが平面図、ｂが正断面図である。
【図１９】  同ケーブル接続用クロージャの小径ブッシュを示し、ａが平面図、ｂが正面図である。
【図２０】  同ケーブル接続用クロージャの大キャップを示し、ａが平面図、ｂが半部を断面した正面図、ｃが底面図である。
【図２１】  同ケーブル接続用クロージャの小キャップを示し、ａが正断面図、ｂが平面図である。
【図２２】  同ケーブル接続用クロージャのベース部材のコラム部を拡大して示す断面図である。
【図２３】  図ケーブル接続用クロージャの掛止ピンを示し、ａが平面図、ｂがａのＤ−Ｄ矢視断面図である。
【図２４】  同ケーブル接続用クロージャのシールリングの断面図である。
【図２５】  同ケーブル接続用クロージャのベース部材の係止片を示し、ａが断面図、ｂが正面図である。
【符号の説明】
１          クロージャ
２          クロージャケース
１０        ベース部材
１１        大径ボス部
１３        小径ボス部
１４，１５  挿通孔
１６，１７  係止片
１６ａ，１７ａ  被係止部
２１，２２  キャツプ
２３，２４  ブッシュ
２５，２６  係止部
３１        コラム部
３１ａ      係止孔
３１ｂ      掛止孔
３４        掛止ピン
３４ｃ      止着孔
３４ｄ      レバー
３９        連結片
３９ａ      連結孔
４０        コラム部材
４１ａ      連結ピン
５０        心線収容部材
６０        カバー部材
９０        心線収容体
【図１】
0003666691.tif 000002
【図２】
0003666691.tif 000003
【図３】
0003666691.tif 000004
【図４】
0003666691.tif 000005
【図５】
0003666691.tif 000006
【図６】
0003666691.tif 000007
【図７】
0003666691.tif 000008
【図８】
0003666691.tif 000009
【図９】
0003666691.tif 000010
【図１０】
0003666691.tif 000011
【図１１】
0003666691.tif 000012
【図１２】
0003666691.tif 000013
【図１３】
0003666691.tif 000014
【図１４】
0003666691.tif 000015
【図１５】
0003666691.tif 000016
【図１６】
0003666691.tif 000017
【図１７】
0003666691.tif 000018
【図１８】
0003666691.tif 000019
【図１９】
0003666691.tif 000020
【図２０】
0003666691.tif 000021
【図２１】
0003666691.tif 000022
【図２２】
0003666691.tif 000023
【図２３】
0003666691.tif 000024
【図２４】
0003666691.tif 000025
【図２５】
0003666691.tif 000026